(57)【要約】      （修正有）【課題】２個の切屑排出溝のピッチを調整して、ドリル構造の切屑排出溝の変化の多様性を増加して、ドリルの剛性強度を強化し、切屑収容空間および切屑排出力を向上させて、ドリルパフォーマンスをよくすることができるドリル構造を提供する。【解決手段】ドリル構造はシャンク部２１０とボディ２２０を含む。ボディ２２０とシャンク部２１０は接続され、ボディ２２０表面は２つの切屑排出溝Ｖ１、Ｖ２を螺旋設置している。２つの切屑排出溝Ｖ１、Ｖ２は、ドリル先端２２１からシャンク部２１０に螺旋状に延伸し、且つ、ボディ２２０は、少なくとも一つの可変ピッチ部分２２３を含む。２つの切屑排出溝Ｖ１、Ｖ２は、可変ピッチ部分２２３の距離が異なる。２つの切屑排出溝Ｖ１、Ｖ２のボディ２２０の距離を調整することにより、ドリル構造の切屑排出溝の変化の多様性を増加し、ドリル全体の剛性強度を強化させ、切屑収容空間と切屑排出力を向上させて、ドリルパフォーマンスをよくする。【選択図】図２
0003182506.tif 000002
【実用新案登録請求の範囲】
【請求項１】
ドリル構造であって、
シャンク部と、
前記シャンク部と接続され、前記シャンク部の一つの表面に、第一切屑排出溝と第二切屑排出溝を螺旋設置し、前記第一切屑排出溝と前記第二切屑排出溝は、ドリル先端から前記シャンク部に交錯しながら延伸し、且つ、少なくとも一つの可変ピッチ部分を含み、前記第一切屑排出溝と前記第二切屑排出溝は前記可変ピッチ部分において、溝のピッチが徐々に変化するボディと、
を含むことを特徴とするドリル構造。
【請求項２】
前記ボディは、少なくとも一つの一定ピッチ部分を含み、前記一定ピッチ部分で前記第一切屑排出溝と前記第二切屑排出溝との溝のピッチは変化しないことを特徴とする請求項１に記載のドリル構造。
【請求項３】
前記ボディの前記可変ピッチ部分と前記一定ピッチ部分の配列順番は、自由に配列できることを特徴とする請求項２に記載のドリル構造。
【請求項４】
前記一定ピッチ部分は前記ドリル先端に近く、前記可変ピッチ部分は前記シャンク部に近いことを特徴とする請求項２に記載のドリル構造。
【請求項５】
前記ボディは複数の一定ピッチ部分および複数の可変ピッチ部分を含み、且つ、前記複数の一定ピッチ部分および前記複数の可変ピッチ部分は入れ替わって配列されることを特徴とする請求項１に記載のドリル構造。
【請求項６】
前記第一切屑排出溝と前記第二切屑排出溝は、それぞれ、第一ネジレ角と第二ネジレ角を有し、前記第一ネジレ角と前記第二ネジレ角の少なくとも一つの変化により、前記第一切屑排出溝と前記第二切屑排出溝の前記可変ピッチ部分の距離が徐々に変化することを特徴とする請求項１から５何れかの一項に記載のドリル構造。
【請求項７】
前記第一ネジレ角と前記第二ネジレ角、何れか一つは固定であることを特徴とする請求項６に記載のドリル構造。
【請求項８】
前記第一ネジレ角と前記第二ネジレ角の角度の変化率は、同じでも異なっていてもよいことを特徴とする請求項６に記載のドリル構造。
【請求項９】
前記第一切屑排出溝と前記第二切屑排出溝は、どちらも深さが徐々に変化する構造であることを特徴とする請求項１から８何れかの一項に記載のドリル構造。
【請求項１０】
前記第一切屑排出溝と前記第二切屑排出溝の深さは、同じでも異なっていてもよいことを特徴とする請求項１から８何れかの一項に記載のドリル構造。
【考案の詳細な説明】
【技術分野】
【０００１】
本考案は、ドリル構造に関するものであって、特に、一部の溝のピッチが徐々に変化する２個の切屑排出溝を有するドリル構造に関するものである。
【背景技術】
【０００２】
プリント回路板の電子線路における高密度と高精度の線細化発展において、そのドリル加工は、超小直径のドリルを大量に使用しており、且つ、市場のプリント回路板に対する高品質、高需要量と快速供給の競争下で、ドリルが高精度、高送り速度、良好な穴壁品質と作業中に折れない加工条件を達成するように要求することは、既に普遍的な趨勢となっている。作業効率を向上させ、製造コストを減少させるため、プリント回路板上の貫通穴に対しドリル加工するのは、複数の重畳したプリント回路板に、貫通穴のドリル加工を採用するので、よって、長いドリルを使用する必要があり、且つ、ドリルは、十分な強度と良好な排屑排出性能が必要である。
従来のドリルビットの二つの切れ刃から発生した切屑は螺旋状の切屑排出溝に沿って、ドリルビットの軸上方向に向かい、切屑が切屑排出溝から外に排出される。図１は、従来のドリルの局部断面図である。図に示されるように、ドリル構造１００は、シャンク部１１０とボディ１２０を含む。ボディ１２０表面に形成される２個の切屑排出溝Ｇ１、Ｇ２は、対称的に螺旋形状をなしており、２個の切屑排出溝Ｇ１とＧ２のピッチは一定ピッチである為、切屑排出量によって、切屑排出溝の距離を調整することができない。よって、切屑排出性能に影響し、ドリル加工過程中、切屑が、ボディ１２０と穴壁間に詰まって互いに摩擦で削れて、穴壁品質に影響する。
さらに、ボディ１２０上に形成される二個の螺旋状切屑排出溝Ｇ１、Ｇ２のピッチが一定ピッチで調整できない場合、ドリル構造１００の全体の構造強度が影響を受け、たとえば、切屑排出溝の密度が高すぎて、強度不足になり、ボディ１２０が、高速回転する時に、磨耗と損傷を加速し、ボディが折れる。
【考案の概要】
【考案が解決しようとする課題】
【０００３】
上述の問題を解決するため、本考案はドリル構造を提供し、２個の切屑排出溝のピッチを調整することにより、ドリル構造の切屑排出溝の変化の多様性を増加して、ドリルの剛性強度を増加し、且つ、切屑収容空間および切屑排出力を向上させて、ドリルの精確度を向上させて、ドリルパフォーマンスをよくすることを目的とする。
【課題を解決するための手段】
【０００４】
上述の目的を達成するため、本考案の好ましい実施例によるドリル構造は、シャンク部とボディを含む。ボディとシャンク部は接続され、ボディ表面は、第一切屑排出溝と第二切屑排出溝を螺旋設置している。第一切屑排出溝と第二切屑排出溝は、ドリル先端からシャンク部に向かい、交錯しながら延伸し、且つ、ボディは、少なくとも一つの可変ピッチ部分を含み、第一切屑排出溝と第二切屑排出溝は、可変ピッチ部分において、溝のピッチが徐々に変化する。
【考案の効果】
【０００５】
２個の切屑排出溝のピッチを調整して、ドリル構造の切屑排出溝の変化の多様性を増加して、ドリルの剛性強度を強化し、切屑収容空間および切屑排出力を向上させて、ドリルパフォーマンスをよくすることができる。
【図面の簡単な説明】
【０００６】
【図１】従来のドリル構造の一部断面図である。
【図２】本考案の好ましい実施例によるドリル構造の局部断面図である。
【図３】本考案の別の好ましい実施例によるドリル構造の局部断面図である。
【考案を実施するための形態】
【０００７】
図２は、本考案の好ましい実施例によるドリル構造の局部断面図である。図に示されるように、ドリル構造２００は、シャンク部２１０およびボディ２２０を含む。ボディ２２０とシャンク部２１０は接続されると共に、第一切屑排出溝Ｖ１と第二切屑排出溝Ｖ２を螺旋設置し、第一切屑排出溝Ｖ１と第二切屑排出溝Ｖ２は、ドリル先端２２１からシャンク部２１０に向かい、交錯しながら延伸し、且つ、ボディ２２０は、少なくとも一つの可変ピッチ部分２２３を有し、第一切屑排出溝Ｖ１と第二切屑排出溝Ｖ２は、可変ピッチ部分２２３において、溝のピッチＤｖが徐々に変化する。このほか、可変ピッチ部分２２３以外に、ボディ２２０は、さらに、一定ピッチ部分２２２を含み、第一切屑排出溝Ｖ１と第二切屑排出溝Ｖ２の一定ピッチ部分におく溝のピッチＤｖは変化しない。つまり、ボディ２２０が、少なくとも一つの可変ピッチ部分を有する前提で、可変ピッチ部分と一定ピッチ部分の数量は制限を受けず、また、自由に配列できる。
図２を参照すると、好ましい実施例において、ドリル構造２００のボディ２２０は、一定ピッチ部分２２２と可変ピッチ部分２２３を有し、第一切屑排出溝Ｖ１と第二切屑排出溝Ｖ２の一定ピッチ部分２２２上におく溝のピッチＤｖは変化しない。第一切屑排出溝Ｖ１と第二切屑排出溝Ｖ２は、可変ピッチ部分２２３に向かって延伸し、溝のピッチＤｖは、シャンク部２１０の方向に向かって徐々に広くなる。この実施例において、一定ピッチ部分２２２は狭く、且つ、固定の溝のピッチＤｖを有し、一定ピッチ部分２２２はドリル構造２００の前段、即ち、ドリル先端２２１に近いので、直接、被削材を穴加工すると、大量の切屑を生成し、よって、密集した切屑排出溝により切屑を排出して、ドリル工程をうまく行かせる。可変ピッチ部分２２３はドリル構造２００後段に位置し、即ち、シャンク部２１０に近く、切屑排出に対する影響が小さいので、溝のピッチＤｖが徐々に広くなり、切屑排出溝の密度が減少し、ドリル構造２００の構造強度を強化して、折れることを防止する。よって、本考案の距離の調節可能な設計により、使用者の必要に応じて、切屑収容空間および切屑排出力の向上と物理強度の強化を達成する。
図３を参照すると、図３は、本考案の別の好ましい実施例によるドリル構造の局部断面図である。ここで、ドリル構造３３０のボディ３２０は、一定ピッチ部分３２２、可変ピッチ部分３２３、および、別の一定ピッチ部分３２４を有する。即ち、一定ピッチ部分３２２、３２４と可変ピッチ部分３２３は入れ替わって配列される。第一切屑排出溝Ｖ１’と第二切屑排出溝Ｖ２’の一定ピッチ部分３２２におく溝のピッチＤｖ’は変化しない。第一切屑排出溝Ｖ１’と第二切屑排出溝Ｖ２’は、可変ピッチ部分３２３に向かって延伸し、溝のピッチＤｖ’は、シャンク部２１０の方向に徐々に広くなる。続いて、第一切屑排出溝Ｖ１’と第二切屑排出溝Ｖ２’は、一定ピッチ部分３２４に向かって延伸し、溝のピッチＤｖ’も距離が変わらない。ここから分かるように、一定ピッチ部分３２２で溝のピッチＤｖ’は狭くて密集し、可変ピッチ部分３２３は徐々に広くなり、一定ピッチ部分３２４は広い。本考案の調整可能なピッチの設計により、切屑排出性能の向上と強いドリル構造の物理強度を達成する。その原理は前述しており、詳細を省略する。
このほか、ボディに、可変ピッチ部分を形成する幾つかの方式があり、ひとつは、ネジレ角を変化させることによる。たとえば、図２に示されるように、第一切屑排出溝Ｖ１と第二切屑排出溝Ｖ２は、それぞれ、第一ネジレ角Ａ１と第二ネジレ角Ａ２を有する。第一ネジレ角Ａ１は、一定ピッチ部分２２２で、同じ角度を維持するので、溝のピッチＤｖは一定ピッチである。しかし、第一切屑排出溝Ｖ１が可変ピッチ部分２２３に延伸し続ける時、第一ネジレ角Ａ１は徐々に減少する為、溝のピッチＤｖが徐々に増加する。又、第一ネジレ角Ａ１と第二ネジレ角Ａ２の変化方式は特に制限がなく、両者がどちらも変化してもよく、一つが固定であり、もう一つが変化してもよく、且つ、両者の角度変化率は同じでも異なっていてもよい。  ネジレ角が変化する時、漸進に変化する設計、即ち、ネジレ角の変化が徐々に変化する方式を採用し、単純に、ネジレ角のある角度を、急進に、他の角度にするのではない。
ピッチを変化させる以外に、切屑排出溝の深さＨ(図２に示されるＨ)を調整してもよい。好ましい実施例において、第一切屑排出溝と第二切屑排出溝は、どちらも徐々に変化する構造である (図示しない)。また、別の実施例において、第一切屑排出溝と第二切屑排出溝の深さは、同じでも異なっていてもよい(図示しない)。
本考案において、ドリル構造のボディが、少なくとも一つの可変ピッチ部分を有する前提で、可変ピッチ部分と一定ピッチ部分の数目および配列方式は、制限がない。可変ピッチ部分の生成方式は幾つかあり、ひとつは、ネジレ角を変化することである。変化の方式は特に限定されず、即ち、第一ネジレ角と第二ネジレ角は同時に変化しても、一つが固定で、もう一つが変化してもよい。このほか、切屑排出溝の深さは調節可能である。
本考案において、２個の切屑排出溝のボディの距離を調整することにより、ドリル構造の切屑排出溝の変化の多様性を増加して、ドリルの剛性強度を強化し、切屑収容空間と切屑排出力を向上させて、ドリルパフォーマンスをよくする。
本考案では好ましい実施例を前述の通り開示したが、これらは決して本考案に限定するものではなく、当該技術を熟知する者なら誰でも、本考案の精神と部分を脱しない範囲内で各種の変動や修飾を加えることができ、従って本考案の保護範囲は、実用新案請求の範囲で指定した内容を基準とする。
【符号の説明】
【０００８】
0003182506.tif 000003
【図１】
0003182506.tif 000004
【図２】
0003182506.tif 000005
【図３】
0003182506.tif 000006